(57)【要約】      （修正有）【課題】多くのスマートチップを取り付けることができ、カーテンをよりインテリジェント化できるカーテン駆動装置を提供する。【解決手段】電源モジュールと、制御モジュールと、管状モーター３と、接続エンドベース４を具備する。接続エンドベースは、水平部４．１と垂直部４．２を具備し、水平部に、電源モジュールと制御モジュールを取り付ける収容キャビティが配置される。管状モーターは、垂直部に、水平部と平行に設置される。電源モジュールと制御モジュールを水平部に取り付け、管状モーターを垂直部に取り付ける。電源モジュールと制御モジュールは、より大きな設置スペースを具備し、多くのスマートチップを取り付けできる。制御モジュールが管状モーターから分離されており、制御信号の受信がより安定化する。管状モーターの長さ設計は多様であり、長いローラーブラインドと短いローラーブラインドに適用できる。【選択図】図１
0003231016.tif 000002
【実用新案登録請求の範囲】
【請求項１】
電源モジュールと、制御モジュールと、管状モーターとを具備するカーテン駆動装置において、
接続エンドベースを更に具備し、
前記接続エンドベースには、水平部と垂直部を具備し、当該水平部には、電源モジュールと制御モジュールを取り付けるための収容キャビティに配置されており、
前記管状モーターは、前記垂直部に配置され、且つ水平部に平行していることを特徴とするカーテン駆動装置。
【請求項２】
前記収容キャビティには、仕切り板が設けられており、前記仕切り板は、前記収容キャビティを、電源モジュールを取り付けるための第１の収容キャビティと、制御モジュールを取り付けるための第２の収容キャビティに分割することを特徴とする請求項１に記載のカーテン駆動装置。
【請求項３】
前記管状モーターにおける前記垂直部から離れた端部には、ロールチューブを回転させるための伝達ヘッドが設けられており、前記管状モーターにおける前記垂直部に近い端部には、リールチューブを接続するための従動スリーブがスリーブされていることを特徴とする請求項１に記載のカーテン駆動装置。
【請求項４】
前記電源モジュールと、前記制御モジュールと、前記管状モーターとの間は電気的に接続されていることを特徴とする請求項１に記載のカーテン駆動装置。
【請求項５】
前記制御モジュールにインターフェースが設けられ、前記インターフェースが前記水平部の側壁に露出していることを特徴とする請求項４に記載のカーテン駆動装置。
【請求項６】
前記制御モジュールにはスイッチが設けられ、当該スイッチが前記水平部に露出していることを特徴とする請求項４に記載のカーテン駆動装置。
【請求項７】
前記制御モジュールには設定キーが設けられ、当該設定キーが前記水平部の側壁に露出していることを特徴とする請求項４に記載のカーテン駆動装置。
【請求項８】
前記収容キャビティの上部は取り外し可能なカバーであることを特徴とする請求項１に記載のカーテン駆動装置。
【請求項９】
前記水平部における前記垂直部から離れた端部には、接続部が延びていることを特徴とする請求項１に記載のカーテン駆動装置。
【請求項１０】
前記接続エンドベースはプラスチックで形成されていることを特徴とする請求項１に記載のカーテン駆動装置。
【考案の詳細な説明】
【技術分野】
【０００１】
本考案は、カーテンアクセサリーの技術分野に関し、特に新型のカーテン駆動装置に関する。
【背景技術】
【０００２】
技術の進歩と生活水準の向上に伴い、人々の家庭用品はますます自動化され、知能化されている。従来のカーテンは手動で駆動されるものであり、たとえば、ローラーブラインド、ベネチアンブラインド、ファブリックカーテンなどのカーテンであり、基本的に人が手動で開閉する。
【０００３】
現在では、電動ローラーブラインドのような、モーターの回転によってローラーブラインドチューブを回転させてカーテンを開閉する電動カーテンも数多く登場している。従来の電動ローラーブラインドに使用されているモーターは、管状モーターが多く、このような管状モーターは直径が小さく、ローラーブラインドのリールチューブに挿入して取り付けるのに便利である。現在、市場では管状モーターの最小直径は、１５ｍｍに達することができる。
【０００４】
管状モーターのチューブ径が小さいため、管状モーターに取り付けられている多くの電子部品は、より小さな仕様を必要とし、コストが高くなる。また、管状モーターの外管が小さすぎるため、電源を外管の内部に入れることができない。外管の内部に入れても、多くのセキュリティリスクも存在している。そして、インテリジェント時代の到来とともに、より多くのスマートチップが管状モーターに組み込まれる場合が多くなる。
【０００５】
管状モーターのチューブ径が小さすぎるため、チップ内蔵用のスペースを増やすことができず、カーテンのインテリジェントな開発に大きな影響を及ぼす。多数のチップを収容できる場合でも、管状モーターの長さを延長する必要があり、このようにしてカーテンの長さの設計にも影響を及ぼし、短いカーテンには適していない。
さらに、管状モーターの外管は一般に金属外管を採用しているので、管内のスマートチップへの信号干渉を引き起こし、スマート制御に影響を与える。
【考案の概要】
【０００６】
上記の従来技術の現状を考慮して、本考案によって解決しようとする技術的課題は、電源モジュールと、制御モジュールと、モーターが分離されて設置され、設置スペースがもっと広く、信号がもっと良く、長さの設計が長いローラーブラインドや短いローラーブラインドに適用できる新型のカーテン駆動装置を提供することである。
【０００７】
本考案が上記技術的課題を解決できる技術手段は、以下の通りである。即ち、電源モジュールと、制御モジュールと、管状モーターとを具備するカーテン駆動装置において、接続エンドベースを更に具備し、上記接続エンドベースには、水平部と垂直部を具備し、当該水平部には、電源モジュールと制御モジュールを取り付けるための収容キャビティに配置されており、上記管状モーターは、上記垂直部に配置され、且つ水平部に平行している。
【０００８】
さらに、上記収容キャビティには、仕切り板が設けられており、上記仕切り板は、上記収容キャビティを、電源モジュールを取り付けるための第１の収容キャビティと、制御モジュールを取り付けるための第２の収容キャビティに分割する。
【０００９】
さらに、上記管状モーターにおける上記垂直部から離れた端部には、ロールチューブを回転させるための伝達ヘッドが設けられており、上記管状モーターにおける上記垂直部に近づいた端部には、リールチューブを接続するための従動スリーブがスリーブされている。
さらに、上記電源モジュールと、上記制御モジュールと、上記管状モーターとの間には電気的に接続されている。
さらに、上記制御モジュールにインターフェースが設けられ、上記インターフェースが上記水平部の側壁に露出されている。
さらに、上記制御モジュールにはスイッチが設けされ、当該スイッチが上記水平部に露出されている。
【００１０】
さらに、上記制御モジュールにはスイッチが設けされ、当該スイッチが上記上記制御モジュールには設定キーが設けされ、当該設定キーが上記水平部の側壁に露出されている。
さらに、上記制御モジュールにはスイッチが設けされ、当該スイッチが上記上記収容キャビティの上部は取り外し可能なカバーである。
さらに、上記制御モジュールにはスイッチが設けされ、当該スイッチが上記上記水平部における上記垂直部から離れた端部には、接続部が延びている。
さらに、上記制御モジュールにはスイッチが設けされ、当該スイッチが上記上記接続エンドベースはプラスチックで形成されている。
【００１１】
従来技術と比べて、本考案の利点が以下の通りである。即ち、本考案は、電源モジュールと制御モジュールを接続エンドベースの水平部に取り付け、管状モーターを接続エンドベースの垂直部に取り付けることにより、電源モジュール、制御モジュールは管状モーターと別に設置し、さらに、電源モジュールと制御モジュールは、より大きな設置スペースを具備するので、より多くのスマートチップを取り付けることができ、カーテンをよりインテリジェント化することができる。
【００１２】
また、制御モジュールが管状モーターから分離されているので、信号の受信がより安定し、また、管状モーターは、電源モジュール、制御モジュールとは別に設置されているので、管状モーターの長さ設計はより多様であり、長いローラーブラインドと短いローラーブラインドに適用できる。
【図面の簡単な説明】
【００１３】
【図１】本考案の構造の概略図である。
【図２】本考案の分解図である。
【図３】本考案の使用状態の概略図である。
【考案を実施するための形態】
【００１４】
以下、図面及び具体的な実施形態を参照して、本考案についてさらに詳細に説明する。
図１及び図２が示しているように、カーテン駆動装置は、電源モジュール１と、制御モジュール２と、管状モーター３、接続エンドベース４を具備し、上記接続エンドベース４には、水平部４．１と垂直部４．２を具備し、当該水平部４．１には、電源モジュール１と制御モジュール２を取り付けるための収容キャビティに配置されており、上記管状モーター３は、上記垂直部４．２に配置され、且つ水平部に平行している。
【００１５】
本考案は、電源モジュール１と制御モジュール２を接続エンドベース４の水平部４．１に取り付け、管状モーター３を接続エンドベース４の垂直部４．２に取り付けることにより、電源モジュール１、制御モジュール２、および管状モーター３を分離して設置し、さらに、電源モジュール１と制御モジュール２は、より大きな設置スペースを具備するので、より多くのスマートチップを取り付けることができ、カーテンをよりインテリジェント化することができる。
【００１６】
また、制御モジュール２が管状モーター３から分離されているので、信号の受信がより安定し、また、管状モーター３は、電源モジュール１、制御モジュール２とは別に設置されているので、管状モーター３の長さ設計はより多様であり、長いローラーブラインドと短いローラーブラインドに適用でき、さらに、様々なサイズの窓に適用できる。
【００１７】
上記収容キャビティには、仕切り板４．３が設けられており、上記仕切り板４．３は、上記収容キャビティを、電源モジュール１を取り付けるための第１の収容キャビティ４．４と、制御モジュール２を取り付けるための第２の収容キャビティ４．５に分割する。仕切板４．３の配置は、電源モジュール１を容易に固定するためである。
【００１８】
上記管状モーター３における上記垂直部４．２から離れた端部には、ロールチューブ７を回転させるための伝達ヘッド５が設けられており、上記管状モーター３における上記垂直部４．２に近づいた端部には、リールチューブ７を接続するための従動スリーブ６がスリーブされている。伝達ヘッド５はリールチューブ７を回転させるように駆動し、従動スリーブ６は、ロールチューブ７の回転を補助する。
【００１９】
上記電源モジュール１と、上記制御モジュール２と、上記管状モーター３との間には電気的に接続されている。好ましくは、制御モジュール２と管状モーター３はフラットケーブルで接続されており、当該フラットケーブルは接続エンドベース４の垂直部分４．２の内部を通っており、全体的な設置の美観に影響を与えない。上記制御モジュール２は、充電および通信に使用されているインターフェース２．１を備えており、インターフェース２．１は、水平部４．１の側壁に露出している。
【００２０】
好ましくは、インターフェース２．１が２つあり、且つ当該二つのインターフェース２．１が水平部４．１の２つの側壁に対称的に露出しており、それにより、ユーザーがそれらを充電し、情報を読むのに便利である。制御モジュール２には、電源のオン／オフに使用するスイッチ２．２が設けられている。当該スイッチ２．２は、水平部４．１の上部または側壁に露出しており、ユーザーがスイッチを起動するのに便利である。
【００２１】
上記制御モジュール２には設定キー２．３が設けられており、当該設定キー２．３は、コードマッチング、モーター反転または工場設定の復元に使用されている。当該設定キー２．３が水平部４．１の側壁に露出している。  好ましくは、設定キー２．３の数は２つであり、且つ、当該二つの設定キー２．３が水平部分４．１の２つの側壁に対称的に露出されており、ユーザーが操作するのに便利である。
【００２２】
上記収容キャビティの上部は取り外し可能なカバープレート４．６である。このようにして、ユーザーが収容キャビティ内の電源モジュール１と制御モジュール２を検出、修理、交換するのに便利である。
【００２３】
上記水平部４．１における上記垂直部４．２から離れた端部には、カーテン取り付けフレーム８を接続するための接続部４．７が延びている。このようにして容易に組み立てることができる。
【００２４】
上記接続エンドベースはプラスチックで形成されている。プラスチックケースは絶縁効果があり、安全性と信頼性が高い一方、カーテンを無線で制御する場合、プラスチックケースは信号シールドを生成せず、ワイヤレス制御信号がさらに優れている。
【００２５】
使用時には、リールチューブ７を管状モーター３に直接にスリーブし、その結果、伝達ヘッド５、従動スリーブ６はリールチューブ７の内壁に係合される。次に、接続エンドベース４の接続部４．７をカーテン取付フレーム８に差し込み、カーテン取付フレーム８は接続部品９を介してリールチューブ７の他端に接続して、カーテンの組立を完成させる。
【００２６】
図３に示すように、組み立てた後、スイッチ２．２をオンにし、設定キー２．３を使用してカーテンを調整できる。次に、リモートコントロールで信号を制御モジュール２に送信し、制御モジュール２が管状モーター３の動作を制御し、管状モーター３がローラーチューブ７を回転させるように駆動することにより、カーテンの電気的昇降を実現する。
【００２７】
ここで、上記電源モジュール１は市場で購入でき、上記制御モジュール２は市場で購入した回路基板と電子部品で構成され、上記管状モーター３も市場で購入でき、いずれも詳細に説明しない。
【００２８】
最後に説明することは、以下のとおりである。即ち、上記の実施例は、本発明の技術案を説明するためだけに使用され、限定することを意図するものではないことに留意されたい。前述の実施例を参照して本発明を詳細に説明したが、当業者は、上記実施例に記載された技術案を依然として修正し、または一部の技術的特徴を同等に置換することができることを理解すべきである。このような修正又は置換は、対応する技術案の本質を本発明の各実施例の技術案の精神と範囲から逸脱させない。
【符号の説明】
【００２９】
１  電源モジュール
２  制御モジュール
２．１  インターフェース
２．２  スイッチ
２．３  設定キー
３  管状モーター
４  接続エンドベース
４．１  水平部
４．２  垂直部
４．３  仕切り板
４．４  第１の収容キャビティ
４．５  第２の収容キャビティ
４．６  カバープレート
４．７  接続部
５  伝達ヘッド
６  従動スリーブ
７  リールチューブ
８  カーテン取り付けフレーム
９  接続部品
【図１】
0003231016.tif 000003
【図２】
0003231016.tif 000004
【図３】
0003231016.tif 000005